(57)【要約】【課題】  液晶表示パネルの反りやバックライトの反りによって液晶表示パネルにかかる応力を吸収して、液晶表示パネルの表示ムラを防止するとともに液晶表示パネルの反りやバックライトの反りによってできる隙間から表示装置の内部に異物進入防止を目的とする。【解決手段】  本発明の液晶表示パネル１０と中間フレーム２１との間、すなわち中間フレーム２１の上部の液晶表示パネル１０の配置位置には、弾性部材３０が配置されている。弾性部材３０は、一方の面に粘着材を有するベース部３２と、他方の面に細い糸状の樹脂材料などからなる繊維状部材３１とを備えており、中間フレーム２１の開口部２１１に沿ってベース部３２が貼り付けられている。繊維状部材３１は、液晶表示パネル１０の反表示面に対向して非接着状態で配置されている。【選択図】      図１
2014137566.tif 000002
【特許請求の範囲】
【請求項１】
表示パネルと、
前記表示パネルを背面より照射するバックライトと、
前記バックライトを構成する開口部を有する中間フレームと、
前記中間フレームの前記表示パネルの配置位置において、前記表示パネルの反表示面と対向して、少なくとも１辺に配置された弾性部材と、を備え、
前記弾性部材は、一方の面に粘着材を有するベース部と、他方の面に繊維状部材とを備えており、前記中間フレームの開口部に沿って前記ベース部が貼り付けられており、
前記繊維状部材は、前記表示パネルの反表示面に対向して非接着状態で配置され、糸状の集合体で構成されていること特徴とする表示装置。
【請求項２】
前記弾性部材を構成する繊維状部材は、内部に空洞部を備えるループ形状の集合体であることを特徴とする請求項１記載の表示装置。
【請求項３】
前記繊維状部材は、前記表示パネルの反表示面側の端部および前記端部と連続した側面に非接着状態で当接されていることを特徴とする請求項１または２記載の表示装置。
【請求項４】
前記繊維状部材は、前記表示パネルの反表示面の４辺に形成されていることを特徴とする請求項１乃至３のいずれか１項に記載の表示装置。
【請求項５】
前記表示パネルは液晶を挟持する２つの基板を備え、横電界方式の液晶表示装置に用いられる液晶表示パネルであって、一方の基板に画素電極および対向電極を形成し、前記基板に対して横方向に電界を発生させることを特徴とする請求項１乃至４のいずれか１項に記載の表示装置。
【発明の詳細な説明】
【技術分野】
【０００１】
本発明は、表示素子を背面より照明するバックライトを備える表示装置に関するものである。
【背景技術】
【０００２】
一般的な表示装置は、表示素子である液晶表示パネルと、液晶表示パネルを背面より照射するバックライトとを備えている。バックライトは光源などを下フレーム内に収納し、下フレーム内に収納された部材を中間フレームと嵌合して保持している。表示装置は、バックライトを構成する中間フレーム上に液晶表示パネルをテープなどで固定し、主に異物挿入を防止している。そして、下フレームと嵌合するための上フレームを嵌合して表示装置が構成されている。
【０００３】
このように構成された表示装置において、バックライトに反りがある場合、その反りに伴って温度変化により、液晶表示パネルを構成する偏光板等が変形または製造過程での応力により液晶表示パネルに反りが出る場合がある。このような状態で液晶表示パネルを上フレームで覆って表示装置を組立てると、液晶表示パネルに応力が加わり表示にムラが生じてしまう。特に横電界方式（Ｉｎ  Ｐｌａｎｅ  Ｓｗｉｔｃｈｉｎｇ方式）の液晶表示装置の場合は、その液晶表示パネルに局所的応力が加わると、黒表示で光抜けなどが発生し、表示ムラが顕著となる。
【０００４】
そこで、特許文献１の液晶表示装置において、液晶表示パネルＰＮＬはバックライトの上に設置され、バックライトを構成するモールドＭＤＬとの間に形状弾性部材ＧＳが介在されている。形状弾性部材ＧＳは一方がモールドＭＤＬに固定され、一方は非固定で液晶表示パネルＰＮＬに接し、局所応力や異物挿入を防止することが開示されている。
【先行技術文献】
【特許文献】
【０００５】
【特許文献１】特開２００５−９１９７１号公報
【発明の概要】
【発明が解決しようとする課題】
【０００６】
しかしながら、特許文献１の液晶表示装置は、バックライトに反りが生じるとバックライトに貼り付けられている形状弾性部材ＧＳが変形し液晶表示パネルＰＮＬと形状弾性部材ＧＳとの間に隙間が生じてしまい、そこから異物が進入してしまうという問題があった。  
【０００７】
本発明の目的は、液晶表示パネルの反りやバックライトの反りによって液晶表示パネルにかかる応力を吸収して、液晶表示パネルの表示ムラを防止するとともに液晶表示パネルの反りやバックライトの反りによってできる隙間から表示装置の内部に異物進入防止を目的とする。
【課題を解決するための手段】
【０００８】
本発明の表示装置は、表示パネルと、表示パネルを背面より照射するバックライトと、バックライトを構成する開口部を有する中間フレームと、中間フレームの表示パネルの配置位置において、表示パネルの反表示面と対向して、少なくとも１辺に配置された弾性部材と、を備え、弾性部材は、一方の面に粘着材を有するベース部と、他方の面に繊維状部材とを備えており、中間フレームの開口部に沿ってベース部が貼り付けられており、繊維状部材は、表示パネルの反表示面に対向して非接着状態で配置され、糸状の集合体で構成されていること特徴とする。
【発明の効果】
【０００９】
本発明の表示装置によれば、液晶表示パネルの反りやバックライトの反りによって表示パネルにかかる応力を吸収して、表示パネルの表示ムラを防止するとともに表示パネルの反りやバックライトの反りによって変形することにより発生する隙間を防止して、表示装置の内部に異物進入防止することができる。
【図面の簡単な説明】
【００１０】
【図１】本発明に係る液晶表示装置の分解斜視図である。
【図２】本発明の液晶表示装置の正面図である。
【図３】図２の液晶表示装置のＡ−Ａ断面図である。
【図４】本発明に係る液晶表示装置の要部拡大図である。
【発明を実施するための形態】
【００１１】
実施の形態１．
＜構成＞
以下、本発明の表示装置の実施の形態を図面に基づいて説明する。なお、各図において、同一の符号を付したものは、実質的に同様の構成要素を示している。
【００１２】
図１は、本発明における表示装置の一例である液晶表示装置の分解斜視図、図２は、本発明の液晶表示装置の正面図、図３は図２の液晶表示装置のＡ−Ａ断面図である。図１に示すように、本発明の液晶表示装置１００は、表示素子として液晶表示パネル１０と、液晶表示パネル１０の表示面１０ａとは反対側の裏面１０ｂに配置され、液晶表示パネル１０を裏面１０ｂ側より照射するバックライト２０から構成されている。図３に示すように、バックライト２０は、光を出射する光源（図示せず）と、光源から出射した光を伝播する導光板２２と、導光板２２で伝播した光の方向等を調整する光学シート等（図示せず）より構成され、これらの部材を背面より収納する下フレーム２３と、下フレーム２３と係合してバックライト２０を構成する中間フレーム２１を備えている。
【００１３】
バックライト２０を構成する中間フレーム２１の上には液晶表示パネル１０が配置され、バックライト２０と液晶表示パネル１０を係合させる上フレーム４０が配置されている。また、上フレーム４０の開口部はバックライト２０からの光を透過させ、開口部以外の部分からは出来る限り外部に光が漏れないように構成されている。
【００１４】
本発明に用いる液晶表示パネル１０は、液晶の複屈折性を応用している。絶縁性基板上に着色層、遮光層等が形成された対向基板と、絶縁性基板上にスイッチング素子となる薄膜トランジスタ（ＴＦＴ）、画素電極が形成されたＴＦＴアレイ基板とを備えている。対向基板とＴＦＴアレイ基板との間隔を保持するためのスペーサ、対向基板とＴＦＴアレイ基板とを貼り合わせるためのシール材、対向基板とＴＦＴアレイ基板との間に狭持させる液晶、液晶を注入する注入口の封止材、液晶を配光させる配向膜（図示せず）により構成され、偏光板１２などが配置されている。なお、横電界方式（Ｉｎ  Ｐｌａｎｅ  Ｓｗｉｔｃｈｉｎｇ方式）の液晶表示装置に用いられる液晶表示パネルは、ＴＦＴアレイ基板に画素電極および対向電極を形成し、基板に対して横方向に電界を発生させている。よって、横電界方式の液晶表示パネルに局所的応力が加わり基板間の間隔が変化するために、黒表示で光抜けなどが発生し、表示ムラが顕著となる。
【００１５】
図１、図２に示すように、表示装置において、中間フレーム２１上部であって４つのコーナー部には、パネル保持部２１１が形成され、パネル保持部２１１に液晶パネル１０が配置される。また、本発明の液晶表示パネル１０と中間フレーム２１との間、すなわち中間フレーム２１の上部の開口部２１２周辺の液晶表示パネル１０の配置位置には、弾性部材３０が配置されている。弾性部材３０は、液晶表示パネル１０の反表示面側の少なくとも１辺において、液晶表示パネル１０の端部と対向して配置される。
【００１６】
図４は、本発明に係る液晶表示装置の要部拡大図を示す。図４に示すように、弾性部材３０は繊維状部材３１と、ベース部３２とからなる。繊維状部材３１は、ベース部３２に配置されており、規則的もしくは不規則的に配置されている。繊維状部材３１は、細い糸状の樹脂材料などからなり、放物形状（ループ状）が複数形成された集合体である。このように、繊維状部材３１は、内部に空洞部３３を備える放物形状（ループ状）の集合体であるため変形自在であり、また、糸状の樹脂材料などから構成されているため、バネ性（弾力性）を有している。
【００１７】
ベース部３２の繊維状部材３１を配置しない裏面側には両面テープなどの粘着材が貼り付けられている（不図示）。図３に示すように弾性部材３０のベース部の裏面側が、中間フレーム２１開口部２１２の周辺であって、液晶表示パネル１０と対向する上部に貼り付けられる。液晶表示パネル１０が配置された場合、弾性部材３０の繊維状部材３１が液晶表示パネル１０の反表示面側１０ｂに非接着状態で当接するように配置されている。
【００１８】
＜作用＞
図４は本発明の作用を説明する図である。本発明の弾性部材３０は、繊維状部材３１およびベース部３２より形成されており、液晶表示パネル１０の反表示面側１０ｂと対向して、中間フレーム２１の上部にベース部３２の粘着材により貼り付けられている。図４（ａ）に示すとおり、液晶表示パネル１０を配置する前は、弾性部材３０の繊維状部材３１および空洞部３３は放物形状であるが、液晶表示パネル１０を配置した場合は、液晶表示パネル１０の裏面１０ｂの弾性部材３０が当接され、液晶表示パネル１０の形状や重量等に対応して、空洞部３３が変形して繊維状部材３１が液晶パネルの当接部に対応した形状に変形する。液晶表示パネルに当接して液晶表示パネルの形状に追随して変形する繊維状部材３１が複数配置されているため、異物３４は、繊維状部材３１の外部または空洞部３３内に保持されて、液晶表示パネル１０の裏面１０ｂに異物３４が侵入することを防止できる。
【００１９】
また、弾性部材３０は、空洞部３３を備える繊維状部材であるため、バックライトの形状が変形されても、バックライトからの応力に応じて、空洞部３３が変形するため、液晶表示パネル１０に対し、応力が掛からない。
【００２０】
＜効果＞
上記説明したとおり、本実施の形態１の液晶表示装置１００によれば、液晶表示パネル１０と中間フレーム２１との間に液晶表示パネルに当接して液晶表示パネルの形状に追随して変形する繊維状部材３１を備えた弾性部材３０が複数配置されているため、繊維状部材３１に異物３４が保持されて、液晶表示パネル１０の裏面１０ｂに異物３４が侵入することを防止できる。
【００２１】
また、弾性部材３０は、液晶表示パネル１０の反表示面側１０ｂに非接着状態で当接されており、空洞部３３を備える繊維状部材３１である。よって、バックライト２０の形状が変形されても、バックライト２０からの応力に対応して空洞部３３が変形することにより、液晶表示パネル１０に応力が掛からないため、特に横電界方式の液晶表示パネルで顕著となる、液晶表示パネルの変形により発生する表示ムラを防止することができる。
【００２２】
なお、弾性部材３０の繊維状部材３１が液晶表示パネル１０の反表示面側１０ｂに非接着状態で当接するように配置されている例について説明したが、液晶表示パネルの裏面１０ｂと連続する側面にも弾性部材３０に配置してもよい。側面に弾性部材３０を配置することで、側面側に存在する異物３４の進入、液晶表示パネル１０の変形についても本発明で防止することができる。
【符号の説明】
【００２３】
１００：液晶表示装置、１０：液晶表示パネル、１０ａ：表示面、１０ｂ：裏面、
２０：バックライト、２１：中間フレーム、２１１：パネル保持部、２１２：開口部、
２２：導光板，２３：リアフレーム
３０：弾性部材、３１：繊維状部材、３２：ベース部、３３：空洞部、３４：異物、
４０：フロントフレーム。
【図１】
2014137566.tif 000003
【図２】
2014137566.tif 000004
【図３】
2014137566.tif 000005
【図４】
2014137566.tif 000006